(57)【要約】【課題】子機から親子関係にない親機との間の通信テストを簡単かつ素早く行う。【解決手段】子機にテスト／登録対象親機指定部３ｃとテスト／登録操作部３ｄとテスト／登録結果表示部３ｅを設ける。テスト／登録対象親機指定部３ｃはロータリスイッチ３ｃ１を、テスト／登録操作部３ｄはテストボタン３ｄ１と登録ボタン３ｄ２を有する。例えば、子機の親子関係を親機Ａから親機Ｂへ変更したい場合、ロータリスイッチ３ｃ１により親機Ｂを選択し、テストボタン３ｄ１を押す。これにより、子機と親機Ｂとの間で通信テストが行われ、その結果が表示部３ｅに表示される。通信テストの結果が良好であれば、親機Ｂを選択した状態で、登録ボタン３ｄ２を押す。これにより、親機Ａとの親子関係が断たれ、親機Ｂとの親子関係が生まれる。【選択図】        図３
2004357254.tif 000002
【特許請求の範囲】
【請求項１】
複数の親機と、これら親機のうち何れか１つと親子関係とされ、この親子関係とされた親機との間で無線によってデータの送受信を行う子機とを備えた無線通信システムにおいて、
前記子機は、
前記複数の親機の中から選択される親機を指定する親機指定手段と、
テスト開始を指示するテスト開始手段と、
前記テスト開始が指示された場合、前記親機指定手段によって指定される親機をテスト対象とし、このテスト対象に対して通信テストを行う通信テスト手段と
を備えたことを特徴とする無線通信システム。
【請求項２】
請求項１に記載された無線通信システムにおいて、
前記子機は、
前記通信テストの結果が良好でなかった場合、その通信テストのテスト対象である親機を接続先とする親子関係の変更を禁止する手段
を備えたことを特徴とする無線通信システム。
【請求項３】
請求項１に記載された無線通信システムにおいて、
前記子機は、
前記通信テストの結果が良好であった場合、その通信テストのテスト対象である親機を接続先とする親子関係の変更を自動的に行う手段
を備えたことを特徴とする無線通信システム。
【請求項４】
請求項１に記載された無線通信システムにおいて、
前記通信テスト手段は、前記通信テストの開始時に現在親子関係にある親機との間の接続を切断し、この切断した親機との接続を前記通信テストの終了後に復旧することを特徴とする無線通信システム。
【請求項５】
請求項４に記載された無線通信システムにおいて、
前記通信テスト手段は、前記通信テストの開始時に現在親子関係にある親機との間の接続を切断するとともに、この切断が異常によるものではないことをその接続が切断される前の前記親機に知らせることを特徴とする無線通信システム。
【請求項６】
複数の親機と、これら親機のうち何れか１つと親子関係とされ、この親子関係とされた親機との間で無線によってデータの送受信を行う子機とを備えた無線通信システムにおいて、
前記子機は、
前記複数の親機の中から選択される所定の属性を有する親機のグループを指定するグループ指定手段と、
テスト開始を指示するテスト開始手段と、
前記テスト開始が指示された場合、前記グループ指定手段によって指定されるグループに所属する親機をテスト対象とし、このテスト対象に対して通信テストを行う通信テスト手段と
を備えたことを特徴とする無線通信システム。
【発明の詳細な説明】
【０００１】
【発明の属する技術分野】
この発明は、無線によってデータの送受信を行う親機と子機との間の無線通信システムに関するものである。
【０００２】
【従来の技術】
従来より、この種の無線通信システムとして、図１５に示すような無線式の監視システムが用いられている。同図において、１は監視装置、２は親機であり、監視装置１と親機２とはネットワーク４を介して接続されている。親機２はネットワーク４上に複数存在し、これら親機２には子機３が無線回線によって接続されている。
【０００３】
この例では、子機３を温度センサや湿度センサ，流量計，電力量計などの無線センサとし、親機２Ａに子機３−１〜３−４を、親機２Ｂに子機３−５，３−６を、親機２Ｃに子機３−７，３−８を無線回線によって接続している。
【０００４】
すなわち、親機２Ａに子機３−１〜３−４を登録し、これによって親機２Ａと子機３−１〜３−４との間に親子の接続関係（以下、この関係を親子関係と呼ぶ）を持たせている。同様に、親機２Ｂに子機３−５，３−６を登録し、親機２Ｃに子機３−７，３−８を登録し、これによって親機２Ｂと子機３−５，３−６との間に親子関係を持たせている。さらに同様に、親機２Ｃと子機３−７，３−８との間に親子関係を持たせている。
【０００５】
親機２Ａは親子関係にある子機３−１〜３−４から無線通信によって計測データを収集し、親機２Ｂは親子関係にある子機３−５，３−６から無線通信によって計測データを収集し、親機２Ｃは親子関係にある子機３−７，３−８から無線通信によって計測データを収集する。親機２Ａ，２Ｂ，２Ｃが収集した計測データはネットワーク４を介して監視装置１へ送られる。
【０００６】
〔通信テスト〕
例えば、特許文献１には、子機３にテストスイッチを設ける構成が示されている。この構成によれば、運用中に、子機３に設けられたテストスイッチを押すことによって、その子機３と親子関係にある親機２との間でデータの送受信を行わせ、親子間の通信が適切に行える状態にあるか否かをＬＥＤの点滅などによって確認することができる。
【０００７】
また、特許文献２には、子機３側において点検者が持つ携帯型無線通信機から、その子機３と親子関係にある親機２をテストモードに移行させる構成が示されている。この構成によれば、運用中に、点検者が子機３から発報操作を行うと、この子機３からの動作信号がテストモードとされている親機２を介して携帯型無線通信機に送られてくる。これにより、点検者は、携帯型無線通信機の画面上で、親子間の通信が適切に行える状態にあるか否かを確認することができる。
【０００８】
【特許文献１】
特開平１１−１８７１３５号公報
【特許文献２】
特開平１０−３２６３８４号公報
【０００９】
【発明が解決しようとする課題】
上述した無線式の監視システムでは、例えば親機２Ａに新しい子機３を追加したいような場合、親機２Ａにおける子機登録が満杯で新しい子機３を登録できない場合がある。このような場合、親機２Ａの通信エリアの端にある例えば子機３−１の登録を抹消し、子機３−１と通信可能な位置にある別の親機２へ登録し直す（親子関係を変更する）という作業が行われる。
【００１０】
〔親子関係の変更：ＯＫの場合〕
図１６（ａ）に子機３−１の親子関係を親機２Ａから親機２Ｂへ変更する場合の作業を示す。なお、この例では、子機３−１にテストスイッチが設けられているものとする。子機３−１の親子関係を親機２Ａから親機２Ｂへ変更する場合、先ず、親機２Ａに設けられている登録リストから子機３−１を削除する。そして、親機２Ｂの登録リストに子機３−１を追加し、子機３−１のテストスイッチを押す。これにより、子機３−１と親機２Ｂとの間で通信テストが行われ、この通信テストによって親子間の通信が適切に行える状態にあることを確認すれば、子機３−１の親機２Ａから親機２Ｂへの親子関係の変更が完了する。
【００１１】
〔親子関係の変更：ＮＧの場合〕
これに対し、子機３−１と親機２Ｂとの間の通信が適切に行えない場合がある。この場合、図１６（ｂ）に示すように、親機２Ｂの登録リストから子機３−１を削除し、親機２Ｃの登録リストに子機３−１を追加し、子機３−１のテストスイッチを押して、子機３−１と親機２Ｃとの間で通信テストを行わせる。この通信テストによって親子間の通信が適切に行える状態にあることを確認すれば、子機３−１の親機２Ａから親機２Ｃへの親子関係の変更が完了する。親子間の通信が適切に行えなければ、親機２Ｃの登録リストから子機３−１を削除し、別の親機２の登録リストに子機３−１を追加し、通信テストを繰り返す。
【００１２】
このように、子機にテストスイッチを設けた従来の構成では、親子関係を変更する際に、現在親子関係にある親機の登録リストからの子機の削除と、テスト対象である親機の登録リストへの子機の追加とを行わなければならず、この親機への子機の登録変更作業が非常に煩わしいという問題があった。
携帯型無線通信機を用いる従来の構成でも、運用中の親子間の通信状態を確認するという点では子機にテストスイッチを設ける従来の構成と同じであり、同様の問題が生じる。しかも、この場合、通信テストを行うために携帯型無線通信機を別途必要とするという問題もある。
【００１３】
本発明はこのような課題を解決するためになされたもので、その目的とするところは、子機と親子関係にない親機との間の通信テストを簡単かつ素早く行うことができる無線通信システムを提供することにある。
【００１４】
【課題を解決するための手段】
このような目的を達成するために本発明は、複数の親機と、これら親機のうち何れか１つと親子関係とされ、この親子関係とされた親機との間で無線によってデータの送受信を行う子機とを備えた無線通信システムにおいて、子機に、複数の親機の中から選択される親機を指定する親機指定手段と、テスト開始を指示するテスト開始手段と、テスト開始が指示された場合、親機指定手段によって指定される親機をテスト対象とし、このテスト対象に対して通信テストを行う通信テスト手段とを設けたものである。
この発明によれば、子機において、所望の親機を選択し、テスト開始を指示すると、その親機に対して通信テストが行われる。例えば、現在親子関係にある親機をＡとし、親子関係にない親機をＢ，Ｃとすれば、親機Ｂを選択しテスト開始を指示するだけで、親子関係にない親機Ｂとの間で通信テストが行われる。同様に、親機Ｃを選択しテスト開始を指示するだけで、親子関係にない親機Ｃとの間で通信テストが行われる。また、親機Ａを選択しテスト開始を指示すれば、現在親子関係にある親機Ａとの間で通信テストが行われ、運用中の通信テストも可能となる。
【００１５】
なお、通信テストの結果が良好でなかった場合、その通信テストのテスト対象である親機を接続先とする親子関係の変更を禁止したり、通信テストの結果が良好であった場合、その通信テストのテスト対象である親機を接続先とする親子関係の変更を自動的に行うようにしたりしてもよい。
また、複数チャネル接続ができない子機を用いる場合、通信テストの開始時に現在親子関係にある親機との間の接続を切断し、この切断した親機との接続を通信テストの終了後に復旧するようにする。この場合、その切断が異常によるものではないことを切断前の親機に知らせるとよい。
【００１６】
また、子機において、所定の属性を有する親機のグループを選択するようにし、この選択されたグループに所属する親機をテスト対象とするようにしてもよい。この場合、子機において、所望の親機のグループを選択し、テスト開始を指示すると、そのグループの親機に対して通信テストが行われる。例えば、現在親子関係にある親機を１階フロアの親機Ａとし、２階フロアに親子関係にない親機Ｂ，Ｃが設置されているものとする。この場合、２階フロアの親機のグループを選択し、テスト開始を指示するだけで、親子関係にない親機Ｂ，Ｃとの間で通信テストが行われる。
【００１７】
【発明の実施の形態】
以下、本発明を図面に基づいて詳細に説明する。図１はこの発明の一実施の形態を示す無線式の監視システムの構成図である。この無線式の監視システムは、図１５に示した従来の無線式の監視システムと構成上は同じであるが、子機３の機能が一部異なっている。なお、図１には、親機２Ａと親子関係にある子機３−１のみを示し、他の子機は説明上図示を省略している。
【００１８】
図２に子機３−１の要部を示す。子機３−１は、通信制御部３ａ，センサ計測部３ｂに加え、テスト／登録対象親機指定部３ｃとテスト／登録操作部３ｄとテスト／登録結果表示部３ｅとを備えている。通信制御部３ａは親機２との間の通信制御を司る。センサ計測部３ｂは計測データ（この例では、温度データ）を通信制御部３ａへ送る。
【００１９】
テスト／登録対象親機指定部３ｃは、ロータリスイッチ３ｃ１（図３参照）を有し、このロータリスイッチ３ｃ１を回転させることによって選択される親機を通信制御部３ａに対して指定する。
テスト／登録操作部３ｄは、テストボタン３ｄ１と登録ボタン３ｄ２とを有し、テストボタン３ｄ１が押された場合をテスト開始として通信制御部３ａに対して指示し、登録ボタン３ｄ２が押された場合を登録開始として通信制御部３ａに対して指示する。
テスト／登録結果表示部３ｅは、ディスプレイ部３ｅ１を有し、通信制御部３ａから送られてくる表示データを表示する。
【００２０】
〔実施の形態１：複数チャネル接続ができない場合のテストシーケンス〕
図４に子機３−１の親子関係を親機２Ａから親機２Ｂへ変更する場合のテストシーケンスを示す。このテストシーケンスに対応する子機３−１と親機２Ａ，２Ｂとの間の信号の流れを図６に示す。なお、この例において、子機３−１は親機２との間の無線通信ポートを１つしか有さず、複数チャネル接続ができないものとする。
【００２１】
〔変更前〕
子機３−１が親機２Ａと親子関係とされている場合、子機３−１の通信制御部３ａは、親機２Ａからのセンサデータ要求（矢印▲１▼）を受けて、センサ計測部３ｂからの計測データを親機２Ａへ返送する（矢印▲２▼）。親機２Ａは、通信制御部２ａを有しており、子機３−１から返送されてきた計測データをデータベース２ｂに格納する。
【００２２】
〔通信テスト〕
操作者は、子機３−１におけるロータリスイッチ３ｃ１を回し、親機２Ｂを選択する（矢印▲３▼）。すると、テスト／登録対象親機指定部３ｃが、選択された親機２Ｂを通信制御部２ａに対して指定する。そして、この後、子機３−１におけるテストボタン３ｄ１を押す（矢印▲４▼）。すると、テスト／登録操作部３ｄが、テスト開始の指示を通信制御部３ａへ与える。
【００２３】
通信制御部３ａは、テスト開始の指示が与えられると、親機２Ａへ切断要求を送る（矢印▲５▼）。親機２Ａは、子機３−１からの切断要求を受けて、親機２Ａと子機３−１との間の接続を切断する。この切断に際し、親機２Ａの通信制御部２ａは、親機２Ａ内に設けられている登録リスト２ｃ中に、子機３−１に対応して記憶されている現在の「状態」を「接続」から「テスト中」に書き替える（図７（ａ），（ｂ）参照）。そして、この「テスト中」への書き替え後、切断確認を子機３−１へ送る（矢印▲６▼）。
【００２４】
なお、子機３−１からの親機３Ａの切断要求には、この切断要求による切断がテストのための切断であり、異常によるものではないことを知らせる情報が付加されている。親機３Ａは、この切断要求に付加されている情報より、子機３−１との間の切断がテストのための切断であり、異常によるものではないことを知る。これにより、異常処理は行わずに、登録リスト２ｃ中の子機３−１に対応して記憶されている現在の「状態」を「接続」から「テスト中」に書き替える。
【００２５】
子機３−１の通信制御部３ａは、親機２Ａから切断確認が送られてくると、テスト／登録対象親機指定部３ｃより指定される親機２Ｂをテスト対象親機とし、このテスト対象親機に対して接続要求を送る（矢印▲７▼）。子機３−１からの接続要求を受けて、親機２Ｂは子機３−１との間を一時的に接続し、接続確認を子機３−１へ返送する（矢印▲８▼）。
【００２６】
子機３−１の通信制御部３ａは、親機２Ｂから接続確認が送られてくると、予めテスト用に用意されているテストデータを親機２Ｂへ送信する（矢印▲９▼）。親機２Ｂは、子機３−１からのテストデータを受信すると、そのテストデータの受信を子機３−１へ知らせる（矢印（１０））。
【００２７】
子機３−１の通信制御部３ａは、親機２Ｂからテストデータを受信した旨の応答が返ってくると、良好である旨のテスト結果をテスト／登録結果表示部３ｅへ送る。これにより、親機２Ｂとの間の通信が適切に行える状態にあることを示すテスト結果が図３に示すようにディスプレイ部３ｅ１に表示される（矢印（１１））。この例では、テスト結果と合わせて、受信電波の電界強度を示すマークＭが表示される。このマークＭを見ることによって通信状態の良し悪しが分かる。
【００２８】
子機３−１の通信制御部３ａは、親機２Ｂとの通信テストが終了すると、親機２Ａへ接続要求を送る（矢印（１２））。なお、このときの接続要求は、親機２Ａから行うようにしてもよい。親機２Ａは、子機３−１からの接続要求を受けて、子機３−１との接続を復旧する。この復旧に際し、親機２Ａの通信制御部２ａは、親機２Ａ内に設けられている登録リスト２ｃ中に、子機３−１に対応して記憶されている現在の「状態」を「テスト中」から「接続」に書き替える（図７（ｂ），（ｃ）参照）。そして、この「テスト中」から「接続」への書き替え後、接続確認を子機３−１へ送る（矢印（１３））。
【００２９】
この子機３−１と親機２Ａとの間の接続の復旧により、親機２Ａへの子機３−１の再登録などの作業を必要とすることなく、元のように親機２Ａから子機３−１へセンサデータ要求が送られ（矢印（１４））、このセンサデータ要求に応えて子機３−１から親機２Ａへ計測データが返送されるようになる（矢印（１５））。
【００３０】
〔他の親機との通信テスト〕
上述においては、子機３−１と親機２Ｂとの間の通信テストの結果が良好であった場合について説明したが、所定時間以内に親機２Ｂからテストデータを受信した旨が返ってこない場合には、親機２Ｂとの間の通信が適切に行えなかったことを示すテスト結果がディスプレイ部３ｅ１に表示される。
【００３１】
この場合、子機３−１の親子関係を親機２Ｂへ変更することができないことが分かるので、他の親機２との間でも同様にして通信テストを行う。このような通信テストを繰り返すことによって、親子関係の変更先となり得る親機２を探し出すことができる。また、このような通信テストを繰り返すことによって、複数の親機２の中から最も通信状態が良いものを探し出すこともできる。また、この通信テストは、現在親子関係にある親機２Ａとの間でも行うことが可能であり、これにより運用中の通信テストも可能となる。
【００３２】
〔登録〕
上述した通信テストの実施により、子機３−１と親機２Ｂとの間の通信テストの結果が良好であり、子機３−１の親子関係の変更先として親機２Ｂが決定されたとする。この場合、操作者は、子機３−１におけるロータリスイッチ３ｃ１を回し、親機２Ｂを選択する（矢印（１６））。すると、テスト／登録対象親機指定部３ｃが、選択された親機２Ｂを通信制御部２ａに対して指定する。そして、この後、子機３−１における登録ボタン３ｄ２を押す（矢印（１７））。すると、テスト／登録操作部３ｄが、登録開始の指示を通信制御部３ａへ与える。
【００３３】
通信制御部３ａは、登録開始の指示が与えられると、親機２Ａへ切断要求を送る（矢印（１８））。親機２Ａは、子機３−１からの切断要求を受けて、親機２Ａと子機３−１との間の接続を切断する。この切断に際し、親機２Ａの通信制御部２ａは、親機２Ａ内に設けられている登録リスト２ｃ中から子機３−１を削除する（図７（ｃ），（ｄ）参照）。そして、この登録リスト２ｃ中からの子機３−１の削除後、切断確認を子機３−１へ送る（矢印（１９））。これにより、子機３−１と親機２Ａとの間の親子関係（図６に示すラインＬ１）が断たれる  。
【００３４】
なお、子機３−１からの親機２Ａへの切断要求には、この切断要求による切断が登録解除のための切断であり、異常によるものではないことを知らせる情報が付加されている。親機３Ａは、この切断要求に付加されている情報より、子機３−１との間の切断が登録解除のための切断であり、異常によるものではないことを知る。これにより、異常処理は行わずに、登録リスト２ｃ中から子機３−１を削除する。
【００３５】
子機３−１の通信制御部３ａは、親機２Ａから切断確認が送られてくると、テスト／登録対象親機指定部３ｃより指定される親機２Ｂを登録対象親機とし、この登録対象親機に対して登録要求を送る（矢印（２０））。子機３−１からの登録要求を受けて、親機２Ｂは登録リスト２ｃに子機３−１を追加する（図８（ａ），（ｂ）参照）。そして、この登録リスト２ｃへの子機３−１の追加後、登録完了を子機３−１へ返送する（矢印（２１））。
【００３６】
子機３−１の通信制御部３ａは、親機２Ｂから登録完了が返ってくると、親機２Ｂに子機３−１が登録された旨をテスト／登録結果表示部３ｅへ送る。これにより、親機２Ｂに子機３−１が登録された旨を示す登録結果がディスプレイ部３ｅ１に表示される（矢印（２２））。
【００３７】
子機３−１の通信制御部３ａは、親機２Ｂから登録完了を受けると、親機２Ｂへ接続要求を送る（矢印（２３））。なお、このときの接続要求は、親機２Ｂから行うようにしてもよい。親機２Ｂは、子機３−１からの接続要求を受けて、子機３−１との接続を図るとともに、接続確認を子機３−１へ返送する（矢印（２４））。これにより、子機３−１と親機２Ｂとの間に親子関係が生まれる（図６に示すラインＬ２）。
【００３８】
この子機３−１の親機２Ａから親機２Ｂへの親子関係の変更により、親機２Ｂから子機３−１へセンサデータ要求が送られ（矢印（２５））、このセンサデータ要求に応えて子機３−１から親機２Ｂへ計測データが返送されるようになる（矢印（２６））。
【００３９】
なお、子機３−１から登録要求があった場合、親機２Ｂにおいて、登録リスト２ｃへの子機３−１の登録と子機３−１との接続を同時に行うようにしてもよい。しかし、親機２Ｂにおける登録リスト２ｃが満杯である場合も考えられるので、この実施の形態では、子機３−１へ登録結果を通知し、この後に子機３−１と親機２Ｂとの接続を行うようにしている。このようにすることにより、親機２Ｂにおける登録リスト２ｃが満杯であった場合には、登録できなかった旨を子機３−１に通知し、子機３−１と親機２Ｂとを接続しないようにすることができる。
【００４０】
また、この実施の形態では、「通信テスト」と「登録」とを切り離して行うようにしたが、「通信テスト」と「登録」とが連続して行われるようにしてもよい。すなわち、通信テストの結果が良好であった場合、その通信テストのテスト対象である親機を接続先とする親子関係の変更を自動的に行うようにしてもよい。例えば、子機３−１と親機２Ｂとの間の通信テストの結果が良好であった場合、自動的に子機３−１と親機２Ａとの親子関係を断ち、子機３−１と親機２Ｂとの親子関係を作るようにする（図５に示すシーケンス中の矢印（１７）参照）。
【００４１】
また、通信テストの結果が良好でなかった場合、その通信テストのテスト対象である親機を接続先とする親子関係の変更を禁止するようにしてもよい。例えば、子機３−１と親機２Ｂとの間の通信テストの結果が良好でなかった場合、ロータリスイッチ３ｃ１により親機２Ｂを選択し、登録ボタン３ｄ２を押しても、親機２Ｂの登録リスト２ｃへの子機３−１の登録が行われないようにする（図５に示すシーケンス中の矢印（１６）参照）。
【００４２】
〔実施の形態２：複数チャネル接続ができる場合のテストシーケンス〕
図９に子機３−１の親子関係を親機２Ａから親機２Ｂへ変更する場合のテストシーケンスの別の例を示す。このテストシーケンスに対応する子機３−１と親機２Ａ，２Ｂとの間の信号の流れを図１０に示す。なお、この例において、子機３−１は親機２との間の無線通信ポートを複数有し、複数チャネル接続ができるものとする。
【００４３】
〔変更前〕
子機３−１が親機２Ａと親子関係とされている場合、子機３−１の通信制御部３ａは、親機２Ａからのセンサデータ要求（矢印▲１▼）を受けて、センサ計測部３ｂからの計測データを親機２Ａへ返送する（矢印▲２▼）。親機２Ａの通信制御部２ａは、子機３−１から返送されてきた計測データをデータベース２ｂに格納する。
【００４４】
〔通信テスト〕
操作者は、子機３−１におけるロータリスイッチ３ｃ１を回し、親機２Ｂを選択する（矢印▲３▼）。すると、テスト／登録対象親機指定部３ｃが、選択された親機２Ｂを通信制御部２ａに対して指定する。そして、この後、子機３−１におけるテストボタン３ｄ１を押す（矢印▲４▼）。すると、テスト／登録操作部３ｄが、テスト開始の指示を通信制御部３ａへ与える。
【００４５】
通信制御部３ａは、テスト開始の指示が与えられると、テスト／登録対象親機指定部３ｃより指定される親機２Ｂをテスト対象親機とし、このテスト対象親機に対して接続要求を送る（矢印▲５▼）。子機３−１からの接続要求を受けて、親機２Ｂは子機３−１との間を一時的に接続し、接続確認を子機３−１へ返送する（矢印▲６▼）。
【００４６】
これにより、子機３−１は、第１の無線通信ポートを介して親機２Ａとの間の接続を保ちながら、第２の無線通信ポートを介して親機２Ｂと接続されることになる。子機３−１は、第１の無線通信ポートを介して親機２Ａとの間の接続を保つので、親機２Ｂとの接続後も、親機２Ａからのセンサデータ要求に応えて（矢印▲７▼）、計測データを親機２Ａに返送する（矢印▲８▼）。
【００４７】
子機３−１の通信制御部３ａは、親機２Ｂから接続確認が送られてくると、予めテスト用に用意されているテストデータを親機２Ｂへ送信する（矢印▲９▼）。親機２Ｂは、子機３−１からのテストデータを受信すると、そのテストデータの受信を子機３−１へ知らせる（矢印（１０））。
【００４８】
子機３−１の通信制御部３ａは、親機２Ｂからテストデータを受信した旨が返ってくると、良好である旨のテスト結果をテスト／登録結果表示部３ｅへ送る。これにより、親機２Ｂとの間の通信が適切に行える状態にあることを示すテスト結果がディスプレイ部３ｅ１に表示される（矢印（１１））。
【００４９】
〔登録〕
上述した通信テストの実施により、子機３−１と親機２Ｂとの間の通信テストの結果が良好であり、子機３−１の親子関係の変更先として親機２Ｂが決定されたとする。この場合、操作者は、子機３−１におけるロータリスイッチ３ｃ１を回し、親機２Ｂを選択する（矢印（１４））。すると、テスト／登録対象親機指定部３ｃが、選択された親機２Ｂを通信制御部２ａに対して指定する。そして、この後、子機３−１における登録ボタン３ｄ２を押す（矢印（１５））。すると、テスト／登録操作部３ｄが、登録開始の指示を通信制御部３ａへ与える。
【００５０】
通信制御部３ａは、登録開始の指示が与えられると、テスト／登録対象親機指定部３ｃより指定される親機２Ｂを登録対象親機とし、この登録対象親機に対して登録要求を送る（矢印（１６））。子機３−１からの登録要求を受けて、親機２Ｂは登録リスト２ｃに子機３−１を追加する（図８（ａ），（ｂ）参照）。そして、この登録リスト２ｃへの子機３−１の追加後、登録完了を子機３−１へ返送する（矢印（１７））。
【００５１】
子機３−１の通信制御部３ａは、親機２Ｂから登録完了が返ってくると、親機２Ｂに子機３−１が登録された旨をテスト／登録結果表示部３ｅへ送る。これにより、親機２Ｂに子機３−１が登録された旨を示す登録結果がディスプレイ部３ｅ１に表示される（矢印（１８））。
【００５２】
子機３−１の通信制御部３ａは、親機２Ｂから登録完了を受けると、親機２Ｂへ接続要求を送る（矢印（１９））。なお、このときの接続要求は、親機２Ｂから行うようにしてもよい。親機２Ｂは、子機３−１からの接続要求を受けて、子機３−１との接続を図るとともに、接続確認を子機３−１へ返送する（矢印（２０））。これにより、子機３−１と親機２Ｂとの間に親子関係が生まれる（図１０に示すラインＬ２）。
【００５３】
子機３−１の通信制御部３ａは、接続確認が与えられると、親機２Ａへ切断要求を送る（矢印（２３））。親機２Ａは、子機３−１からの切断要求を受けて、親機２Ａと子機３−１との間の接続を切断する。この切断に際し、親機２Ａの通信制御部２ａは、親機２Ａ内に設けられている登録リスト２ｃ中から子機３−１を削除する（図７（ｃ），（ｄ）参照）。そして、この登録リスト２ｃ中からの子機３−１の削除後、切断確認を子機３−１へ送る（矢印（２４））。これにより、子機３−１と親機２Ａとの間の親子関係（図１０に示すラインＬ１）が断たれる  。
【００５４】
この子機３−１の親機２Ａから親機２Ｂへの親子関係の変更により、親機２Ｂから子機３−１へセンサデータ要求が送られ（矢印（２５））、このセンサデータ要求に応えて子機３−１から親機２Ｂへ計測データが返送されるようになる（矢印（２６））。
【００５５】
〔実施の形態３：無線方式がブルートゥース（Ｂｌｕｅｔｏｏｔｈ：近距離電波送受信）通信であるときのテストシーケンス〕
図１１に子機３−１の親子関係を親機２Ａから親機２Ｂへ変更する場合のテストシーケンスのさらに別の例を示す。このテストシーケンスに対応する子機３−１と親機２（２Ａ，２Ｂ，２Ｃ，２Ｄ）との間の信号の流れを図１２に示す。
【００５６】
なお、この例において、子機３−１と親機２Ａ，２Ｂ，２Ｃ，２Ｄとはブルートゥースの通信エリアに入っており、親機２Ａが１階フロア、親機２Ｂ，２Ｃが２階フロア、親機２Ｄが３階フロアに設置されているものとする。また、子機３−１には、図１３に示すように、図２に示したテスト／登録対象親機指定部３ｃに代えて、テストグループ／登録対象親機指定部３ｃ’が設けられているものとする。また、テストグループ／登録対象親機指定部３ｃ’は、図１４に示すように、テストグループおよび親機を選択するロータリスイッチ３ｃ１’を有しているものとする。
【００５７】
〔変更前〕
子機３−１が親機２Ａと親子関係とされている場合、子機３−１の通信制御部３ａは、親機２Ａからのセンサデータ要求（矢印▲１▼）を受けて、センサ計測部３ｂからの計測データを親機２Ａへ返送する（矢印▲２▼）。親機２Ａは、通信制御部２ａを有しており、子機３−１から返送されてきた計測データをデータベース２ｂに格納する。
【００５８】
〔通信テスト〕
操作者は、子機３−１におけるロータリスイッチ３ｃ１’を回し、親機２Ｂが設置されている２階フロアをテストグループとして選択する（矢印▲３▼）。すると、テストグループ／登録対象親機指定部３ｃ’が、選択されたテストグループ（２階フロア）を通信制御部２ａに対して指定する。そして、この後、子機３−１におけるテストボタン３ｄ１を押す（矢印▲４▼）。すると、テスト／登録操作部３ｄが、テスト開始の指示を通信制御部３ａへ与える。
【００５９】
通信制御部３ａは、テスト開始の指示が与えられると、親機２Ａへ切断要求を送る（矢印▲５▼）。親機２Ａは、子機３−１からの切断要求を受けて、親機２Ａと子機３−１との間の接続を切断する。この切断に際し、親機２Ａの通信制御部２ａは、親機２Ａ内に設けられている登録リスト２ｃ中に、子機３−１に対応して記憶されている現在の「状態」を「接続」から「テスト中」に書き替える（図７（ａ），（ｂ）参照）。そして、この「テスト中」への書き替え後、切断確認を子機３−１へ送る（矢印▲６▼）。
【００６０】
子機３−１の通信制御部３ａは、親機２Ａから切断確認が送られてくると、ブルートゥースの通信エリアに入っている機器（この例では、親機２Ａ，２Ｂ，２Ｃ，２Ｄ）にブロードキャストによって問い合わせを送る（矢印▲７▼−１，▲７▼−２，▲７▼−３，▲７▼−４）。親機２Ａ，２Ｂ，２Ｃ，２Ｄは、子機３−１からの問い合わせに対して応答を返す（矢印▲８▼−１，▲８▼−２，▲８▼−３，▲８▼−４）。
【００６１】
子機３−１は、親機２Ａ，２Ｂ，２Ｃ，２Ｄからの問い合わせに対する応答を受けて、親機２Ａ，２Ｂ，２Ｃ，２Ｄに対して「リモートデバイス名称（グループアドレスを含む）」の送信を要求する（矢印▲９▼−１，▲９▼−２，▲９▼−３，▲９▼−４）。この要求に応じて、親機２Ａ，２Ｂ，２Ｃ，２Ｄは、子機３−１へ「リモートデバイス名称（グループアドレスを含む）」を返送する（矢印（１０）−１，（１０）−２，（１０）−３，（１０）−４）。
【００６２】
子機３−１は、親機２Ａ，２Ｂ，２Ｃ，２Ｄからの「リモートデバイス名称（グループアドレスを含む）」を受信し、テストグループ／登録対象親機指定部３ｃ’より指定されるテストグループ（２階フロア）をテスト対象グループとして、このテスト対象グループ（２階フロア）に設置されている親機を特定する。この場合、テスト対象グループとして、２階フロアに設置されている親機２Ｂと２Ｃが特定される。
【００６３】
子機３−１は、テスト対象グループの親機を特定すると、この特定した親機へテストデータを送信する。この例では、親機２Ｂへテストデータを送信し（矢印（１１））、親機２Ｂからのテストデータの受信を確認する（矢印（１２））。また、親機２Ｃへテストデータを送信し（矢印（１３））、親機２Ｃからのテストデータの受信を確認する（矢印（１４））。
【００６４】
子機３−１の通信制御部３ａは、親機２Ｂ，２Ｃからテストデータを受信した旨の応答が返ってくると、良好である旨のテスト結果をテスト／登録結果表示部３ｅへ送る。これにより、親機２Ｂ，２Ｃのそれぞれについて、通信が適切に行える状態にあることを示すテスト結果が図１４に示すようにディスプレイ部３ｅ１に表示される（矢印（１５））。このテスト結果には、親機２Ｂ，２Ｃのそれぞれについて、受信電波の電界強度を示すマークＭ１，Ｍ２が合わせて表示される。このマークＭ１，Ｍ２を見ることによって通信状態の良し悪しが分かり、親機２Ｂと２Ｃのどちらが通信状態が良いかどうかを知ることができる。
【００６５】
子機３−１の通信制御部３ａは、親機２Ｂ，２Ｃとの通信テストが終了すると、親機２Ａへ接続要求を送る（矢印（１６））。親機２Ａは、子機３−１からの接続要求を受けて、子機３−１との接続を復旧する。この復旧に際し、親機２Ａの通信制御部２ａは、親機２Ａ内に設けられている登録リスト２ｃ中に、子機３−１に対応して記憶されている現在の「状態」を「テスト中」から「接続」に書き替える（図７（ｂ），（ｃ）参照）。そして、この「接続」への書き替え後、接続確認を子機３−１へ送る（矢印（１７））。
【００６６】
この子機３−１と親機２Ａとの間の接続の復旧により、元のように、親機２Ａから子機３−１へセンサデータ要求が送られ（矢印（１８））、このセンサデータ要求に応えて子機３−１から親機２Ａへ計測データが返送されるようになる（矢印（１９））。
【００６７】
〔登録〕
上述した通信テストの実施により、子機３−１と親機２Ｂ，２Ｃとの間の通信テストが良好であり、ディスプレイ部３ｅ１に表示された通信状態の良い方を選択することにより、子機３−１の親子関係の変更先として親機２Ｂが決定されたとする。この場合、操作者は、子機３−１におけるロータリスイッチ３ｃ１’を回し、親機２Ｂを選択する（矢印（２０））。すると、テストグループ／登録対象親機指定部３ｃ’が、選択された親機２Ｂを通信制御部２ａに対して指定する。そして、この後、子機３−１における登録ボタン３ｄ２を押す（矢印（２１））。すると、テスト／登録操作部３ｄが、登録開始の指示を通信制御部３ａへ与える。
【００６８】
通信制御部３ａは、登録開始の指示が与えられると、親機２Ａへ切断要求を送る（矢印（２２））。親機２Ａは、子機３−１からの切断要求を受けて、親機２Ａと子機３−１との間の接続を切断する。この切断に際し、親機２Ａの通信制御部２ａは、親機２Ａ内に設けられている登録リスト２ｃ中から子機３−１を削除する（図７（ｃ），（ｄ）参照）。そして、この登録リスト２ｃ中からの子機３−１の削除後、切断確認を子機３−１へ送る（矢印（２３））。これにより、子機３−１と親機２Ａとの間の親子関係（図１２に示すラインＬ１）が断たれる  。
【００６９】
子機３−１の通信制御部３ａは、親機２Ａから切断確認が送られてくると、テストグループ／登録対象親機指定部３ｃ’より指定される親機２Ｂを登録対象親機とし、この登録対象親機に対して登録要求を送る（矢印（２４））。子機３−１からの登録要求を受けて、親機２Ｂは登録リスト２ｃに子機３−１を追加する（図８（ａ），（ｂ）参照）。そして、この登録リスト２ｃへの子機３−１の追加後、登録完了を子機３−１へ返送する（矢印（２５））。
【００７０】
子機３−１の通信制御部３ａは、親機２Ｂから登録完了が返ってくると、親機２Ｂに子機３−１が登録された旨をテスト／登録結果表示部３ｅへ送る。これにより、親機２Ｂに子機３−１が登録された旨を示す登録結果がディスプレイ部３ｅ１に表示される（矢印（２６））。
【００７１】
子機３−１の通信制御部３ａは、親機２Ｂから登録完了を受けると、親機２Ｂへ接続要求を送る（矢印（２７））。なお、このときの接続要求は、親機２Ｂから行うようにしてもよい。親機２Ｂは、子機３−１からの接続要求を受けて、子機３−１との接続を図るとともに、接続確認を子機３−１へ返送する（矢印（２８））。これにより、子機３−１と親機２Ｂとの間に親子関係が生まれる（図１２に示すラインＬ２）。
【００７２】
この子機３−１の親機２Ａから親機２Ｂへの親子関係の変更により、親機２Ｂから子機３−１へセンサデータ要求が送られ（矢印（２９））、このセンサデータ要求に応えて子機３−１から親機２Ｂへ計測データが返送されるようになる（矢印（３０））。
【００７３】
なお、この実施の形態では、フロアによって親機をグループ分けしたが、必ずしもフロアでグループ分けしなくてもよく、親機の機能毎など、種々のグループ分けが考えられる。
また、実施の形態１で説明したように、実施の形態２，３においても、「通信テスト」と「登録」とを連続して行うようにしてもよく、また、通信テストの結果が良好でなかった場合、その通信テストのテスト対象である親機を接続先とする親子関係の変更を禁止するようにしてもよい。
【００７４】
また、実施の形態１や２，３では、ディスプレイ部３ｅ１にテスト結果を表示するようにしたが、ＬＥＤの点滅などでテスト結果を知らせるようにしてもよい。
また、実施の形態１や２，３では、テストボタン３ｄ１と登録ボタン３ｄ２とを別々に設けたが、１つのボタンでテストボタン３ｄ１と登録ボタン３ｄ２とを共用するようにしてもよい。この場合、例えば、押された時間の長さによって、テストボタンと登録ボタンとを区別するなどすればよい。
【００７５】
【発明の効果】
以上説明したことから明らかなように本発明によれば、子機において所望の親機を選択しテスト開始を指示すると、その親機に対して通信テストが行われるものとなり、親機への子機の登録変更作業を一々行う手間をなくして、子機と親子関係にない親機との間の通信テストを簡単かつ素早く行うことができるようになる。
また、通信テストの結果が良好でなかった場合、その通信テストのテスト対象である親機を接続先とする親子関係の変更を禁止することにより、誤って親子関係の変更を行ってしまうことを防止することができる。
また、通信テストの結果が良好であった場合、その通信テストのテスト対象である親機を接続先とする親子関係の変更を自動的に行うようにすることにより、親子関係の変更作業を行う人的な手間が省かれる。
また、通信テストの開始時に現在親子関係にある親機との間の接続を切断し、この切断した親機との接続を通信テストの終了後に復旧するようにすることにより、親機への子機の再登録などの作業を必要とすることなく、親機と子機との接続を元に戻すことができるようになる。
また、通信テストの開始時に現在親子関係にある親機との間の接続を切断するとともに、この切断が異常によるものではないことをその接続が切断される前の親機に知らせることにより、上位装置へ異常を通報するなど誤って異常処理が行われることを防止することができる。
また、子機において、所定の属性を有する親機のグループを選択するようにし、この選択されたグループに所属する親機をテスト対象とすることにより、フロア毎や機能毎など所望のグループ毎に親機の通信テストを行うことができる。
【図面の簡単な説明】
【図１】本発明の一実施の形態を示す無線式の監視システムの構成図である。
【図２】この無線式の監視システムに用いる子機の要部を示すブロック図である。
【図３】この子機に設けられたロータリースイッチや登録ボタン，テストボタン，ディスプレイ部などを示す正面図である。
【図４】複数チャネル接続ができない場合のテストシーケンスの一例を示す図である。
【図５】複数チャネル接続ができない場合のテストシーケンスの一例（通信テストから登録までを自動的に行う例）を示す図である。
【図６】図５に示したテストシーケンスに対応する子機と親機との間の信号の流れを示す図である。
【図７】親子関係にある親機における登録リストの遷移を示す図である。
【図８】新しく親子関係とされる親機における登録リストの遷移を示す図である。
【図９】複数チャネル接続できる場合のテストシーケンスの一例を示す図である。
【図１０】このテストシーケンスに対応する子機と親機との間の信号の流れを示す図である。
【図１１】無線方式がブルートゥース通信であるときのテストシーケンスの一例を示す図である。
【図１２】このテストシーケンスに対応する子機と親機との間の信号の流れを示す図である。
【図１３】無線方式がブルートゥース通信であるときの子機の要部を示すブロック図である。
【図１４】この子機に設けられたロータリースイッチや登録ボタン，テストボタン，ディスプレイ部などを示す正面図である。
【図１５】従来の無線式の監視システムの構成図である。
【図１６】子機の親子関係を変更する場合の作業を説明する図である。
【符号の説明】
１…監視装置、２（２Ａ，２Ｂ，２Ｃ，２Ｄ）…親機、２ａ…通信制御部、２ｂ…データベース、２ｃ…登録リスト、３…子機（３−１〜３−８）、４…ネットワーク、３ａ…通信制御部、３ｂ…センサ計測部、３ｃ…テスト／登録対象親機指定部、３ｄ…テスト／登録操作部、３ｅ…テスト／登録結果表示部、３ｃ１，３ｃ１’…ロータリースイッチ、３ｄ１…テストボタン、３ｄ２…登録ボタン、３ｅ１…ディスプレイ部、３ｃ’…テストグループ／登録対象親機指定部。
【図１】
2004357254.tif 000003
【図２】
2004357254.tif 000004
【図３】
2004357254.tif 000005
【図４】
2004357254.tif 000006
【図５】
2004357254.tif 000007
【図６】
2004357254.tif 000008
【図７】
2004357254.tif 000009
【図８】
2004357254.tif 000010
【図９】
2004357254.tif 000011
【図１０】
2004357254.tif 000012
【図１１】
2004357254.tif 000013
【図１２】
2004357254.tif 000014
【図１３】
2004357254.tif 000015
【図１４】
2004357254.tif 000016
【図１５】
2004357254.tif 000017
【図１６】
2004357254.tif 000018